(57)【要約】【課題】プロテクタの分岐出口から引き出されるワイヤーハーネスに蓋が干渉するような位置関係にあっても、ワイヤーハーネスを容易に配索できるようにする。【解決手段】分岐出口３が形成された本体２に蓋５Ａ、５Ｂが連設されたプロテクタ１であって、蓋５Ａには補助蓋１２がヒンジ７を介して矢印Ｃ、Ｄ方向に９０°回動自在に取り付けられている。ワイヤーハーネスの収納時には、補助蓋１２を開いておくことにより、分岐出口３に電線挿通経路を確保することができる。したがって、プロテクタ１の分岐出口３から引き出されるワイヤーハーネスに蓋５Ａ、５Ｂが干渉するような位置関係にあっても、ワイヤーハーネスを容易に配索することができる。【選択図】図３
2007252160.tif 000002
【特許請求の範囲】
【請求項１】
分岐出口が形成された本体に蓋が連設されたプロテクタであって、
前記蓋には、補助蓋が前記分岐出口に電線挿通経路を確保しうるように取り付けられていることを特徴とするプロテクタ。
【請求項２】
前記補助蓋は、前記蓋に対してヒンジを介して回動自在に取り付けられていることを特徴とする請求項１に記載のプロテクタ。
【請求項３】
請求項１または２に記載のプロテクタに、分岐電線を有するワイヤーハーネスを配索するワイヤーハーネス配索方法であって、
前記プロテクタの蓋および補助蓋が開いた状態で、前記ワイヤーハーネスを前記プロテクタの本体に収納して前記分岐電線を前記プロテクタの分岐出口から引き出す電線引き出し工程と、
前記蓋を閉める蓋閉め工程と、
前記補助蓋を閉める補助蓋閉め工程と
が含まれることを特徴とするワイヤーハーネス配索方法。
【発明の詳細な説明】
【技術分野】
【０００１】
本発明は、分岐電線を有するワイヤーハーネスを収納して保護するプロテクタに関するものである。
【背景技術】
【０００２】
図７は従来のプロテクタの第１例を示す斜視図、図８は従来のプロテクタの第２例を示す斜視図である。
【０００３】
従来、この種のプロテクタ１においては、図７に示すように、本体２の分岐出口３から引き出されるワイヤーハーネス（図示せず）に蓋５が干渉しないように、分岐出口３Ａの逆側に蓋５Ａを取り付けたり、分岐出口３Ｂとは別の位置に蓋５Ｂを取り付けたりする手法（以下、公知技術１という。）が多用されていた（例えば、特許文献１参照）。
【０００４】
また、プロテクタ１の形状が複雑な場合やプロテクタ１のサイズが大きい場合は、蓋５を開いた状態で広大なスペースを占める不都合を避けるため、図８に示すように、蓋５を本体２とは別部品で用意する手法（以下、公知技術２という。）も採用されていた。
【特許文献１】特開２００３−２０４６１６号公報
【発明の開示】
【発明が解決しようとする課題】
【０００５】
しかし、公知技術１では、分岐出口３から引き出されるワイヤーハーネスに蓋５が干渉するような位置関係にあると、ワイヤーハーネスを容易に配索できないという欠点があった。
【０００６】
他方、公知技術２では、本体２と蓋５とが分離しているため、両者の組み合わせを管理するのが困難となり、蓋５を紛失する恐れがあった。
【０００７】
本発明は、こうした課題を解決することが可能な、プロテクタおよびワイヤーハーネス配索方法を提供することを目的とする。
【課題を解決するための手段】
【０００８】
まず、請求項１に係るプロテクタの発明では、分岐出口が形成された本体に蓋が連設されたプロテクタであって、前記蓋には、補助蓋が前記分岐出口に電線挿通経路を確保しうるように取り付けられていることを特徴とする。
また、請求項２に係るプロテクタの発明では、前記補助蓋は、前記蓋に対してヒンジを介して回動自在に取り付けられていることを特徴とする。
また、請求項３に係るワイヤーハーネス配索方法の発明では、上記プロテクタに、分岐電線を有するワイヤーハーネスを配索するワイヤーハーネス配索方法であって、前記プロテクタの蓋および補助蓋が開いた状態で、前記ワイヤーハーネスを前記プロテクタの本体に収納して前記分岐電線を前記プロテクタの分岐出口から引き出す電線引き出し工程と、前記蓋を閉める蓋閉め工程と、前記補助蓋を閉める補助蓋閉め工程とが含まれることを特徴とする。
【発明の効果】
【０００９】
本発明によれば、プロテクタの分岐出口から引き出されるワイヤーハーネスに蓋が干渉するような位置関係にあっても、ワイヤーハーネスを容易に配索することが可能となる。また、蓋が本体に連設されているため、両者の組み合わせを管理する必要がなくなり、蓋を紛失する恐れもない。
【発明を実施するための最良の形態】
【００１０】
以下、本発明の実施形態を図面に基づいて説明する。
【００１１】
＜第１の実施形態＞
図１は本発明に係るプロテクタの第１の実施形態を示す図であって、（ａ）はその平面図、（ｂ）はその正面図、図２は図１のプロテクタの補助蓋が閉じた状態を示す斜視図、図３は図１のプロテクタの補助蓋が開いた状態を示す斜視図である。
【００１２】
プロテクタ１は、図１に示すように、難燃性ポリプロピレンなどの合成樹脂からなる一体成型物であり、樋状の本体２を有している。本体２の側面には、分岐出口３が形成されているとともに、この分岐出口３を挟んで対向する形で２個の蓋５（５Ａ、５Ｂ）が、それぞれ薄肉のヒンジ６を介して矢印Ａ、Ｂ方向に１８０°回動自在に取り付けられている。各蓋５にはそれぞれ複数個の係合爪８が形成されており、本体２の側面には、これらの係合爪８に対応する位置に複数個の係合片１０が形成されている。また、一方の蓋５Ａには、図１から図３までに示すように、薄肉のヒンジ７を介して台形板状の補助蓋１２が、分岐出口３に電線挿通経路を確保しうるように矢印Ｃ、Ｄ方向に９０°回動自在に取り付けられている。このヒンジ７は、図１（ａ）に示すように、本体２の側面に直交している。さらに、補助蓋１２には、係合爪９が形成されており、本体２の側面には、この係合爪９に対応する位置に係合片１１が形成されている。
【００１３】
プロテクタ１は以上のような構成を有するので、分岐電線を有するワイヤーハーネス（図示せず）をこのプロテクタ１に配索する際には、次の手順による。
【００１４】
まず、図３に示すように、プロテクタ１の蓋５が矢印Ａ方向に開くとともに、プロテクタ１の補助蓋１２が矢印Ｃ方向に開いた状態で、このワイヤーハーネスをプロテクタ１の本体２に収納して当該ワイヤーハーネスの分岐電線を分岐出口３から引き出す。このとき、プロテクタ１の補助蓋１２は開いており、分岐出口３に電線挿通経路が確保されているので、この分岐電線の引き出し作業は支障なく行われる。
【００１５】
次に、蓋５を矢印Ｂ方向に１８０°回動させて閉め、各係合爪８を各係合片１０に差し込んで蓋５を本体２にロックする。このとき、補助蓋１２は開いているので、プロテクタ１の本体２にワイヤーハーネスを収納した後であっても、蓋５を閉めることができる。
【００１６】
最後に、補助蓋１２を矢印Ｄ方向に９０°回動させて閉め、係合爪９を係合片１１に差し込んで補助蓋１２を本体２にロックする。
【００１７】
ここで、ワイヤーハーネスのプロテクタ１への配索作業が終了する。
【００１８】
このように、ワイヤーハーネスの収納時には、補助蓋１２を開いておくことにより、分岐出口３に電線挿通経路を確保することができる。したがって、プロテクタ１の分岐出口３から引き出されるワイヤーハーネスに蓋５が干渉するような位置関係にあっても、ワイヤーハーネスを容易に配索することが可能となる。また、蓋５が本体２に連設されているため、両者の組み合わせを管理する必要がなくなり、蓋５を紛失する恐れもない。
【００１９】
また、補助蓋１２を蓋５Ａにつなぐヒンジ７は、上述したとおり、本体２の側面に直交しているので、補助蓋１２をコンパクトにすることができる。
【００２０】
＜第２の実施形態＞
図４は本発明に係るプロテクタの第２の実施形態を示す平面図である。
【００２１】
上述の実施形態においては、補助蓋１２が台形板状であるプロテクタ１について説明したが、補助蓋の形状は台形板状に限るわけではない。例えば、図４に示すように、長方形板状の補助蓋１２を代用することも可能である。この場合、図４に一点鎖線で示すように、係合爪９を付加することができるという利点がある。
【００２２】
＜第３の実施形態＞
図５は本発明に係るプロテクタの第３の実施形態を示す平面図である。
【００２３】
上述の実施形態においては、台形板状または長方形板状の補助蓋１２を備えたプロテクタ１について説明したが、図５に示すように、補助蓋１２に切り欠き１２ａを分岐出口３に対向させて設けることにより、分岐出口３および切り欠き１２ａから分岐電線を斜め上方に引き出すこともできる。
【００２４】
＜第４の実施形態＞
図６は本発明に係るプロテクタの第４の実施形態を示す平面図である。
【００２５】
上述の実施形態においては、ヒンジ７が本体２の側面に直交する場合について説明したが、図６に示すように、ヒンジ７を斜めに（本体２の側面に対して鋭角に）配置してもよい。この場合、補助蓋１２を開く方向が本体２から離れる方向になるので、補助蓋１２を開きやすくなる。加えて、ワイヤーハーネスの分岐電線の開口部が広がるため、電線の分岐配索性が良好になるという利点もある。
【産業上の利用可能性】
【００２６】
本発明は、自動車、航空機、電車、製造プラント、電化製品、ＯＡ機器など各種の産業分野に広く適用することができる。
【図面の簡単な説明】
【００２７】
【図１】本発明に係るプロテクタの第１の実施形態を示す図であって、（ａ）はその平面図、（ｂ）はその正面図である。
【図２】図１のプロテクタの補助蓋が閉じた状態を示す斜視図である。
【図３】図１のプロテクタの補助蓋が開いた状態を示す斜視図である。
【図４】本発明に係るプロテクタの第２の実施形態を示す平面図である。
【図５】本発明に係るプロテクタの第３の実施形態を示す平面図である。
【図６】本発明に係るプロテクタの第４の実施形態を示す平面図である。
【図７】従来のプロテクタの第１例を示す斜視図である。
【図８】従来のプロテクタの第２例を示す斜視図である。
【符号の説明】
【００２８】
１……プロテクタ
２……本体
３……分岐出口
５……蓋
６、７……ヒンジ
８、９……係合爪
１０、１１……係合片
１２……補助蓋
【図１】
2007252160.tif 000003
【図２】
2007252160.tif 000004
【図３】
2007252160.tif 000005
【図４】
2007252160.tif 000006
【図５】
2007252160.tif 000007
【図６】
2007252160.tif 000008
【図７】
2007252160.tif 000009
【図８】
2007252160.tif 000010